(57)【要約】      （修正有）【課題】使用者が任意に折り曲げたり、湾曲させることができ、望む位置又は形状に定型することができる電子装置等に使用する伝送線を提供する。【解決手段】絶縁被覆層１１と、絶縁被覆層内に設けられた少なくとも１本の電気導線１２と、電気導線と共に絶縁被覆層内に設けられた湾曲定型可能な導線１３とを備え、湾曲定型可能な導線を絶縁被覆層内に設けることによって、マイクロホンやウェブカメラ等のような電子装置を安定に支持することにより使用者に最適な使用角度又は高度を提供することができ、使用上の利便性を向上させる伝送線を形成する。【選択図】図１
0003168994.tif 000002
【実用新案登録請求の範囲】
【請求項１】
複数の導体コア（ｃｏｎｄｕｃｔｅｄ  ｃｏｒｅ）と前記導体コアを覆う絶縁材料層（ｉｎｓｕｌａｔｅｄ  ｍａｔｅｒｉａｌ  ｌａｙｅｒ）とを有する複数の電気導線（ｃｏｎｄｕｃｔｉｎｇ  ｗｉｒｅｓ）と、
前記電気導線を囲鐃して、円形の信号伝送線／アース線に形成された隔絶層（ｓｅｐａｒａｔｉｎｇ  ｌａｙｅｒ）と、
前記隔絶層を囲鐃する網状格子（ｍｅｓｈ  ｇｒｉｄ）と、
前記電気導線と隣接して、前記絶縁被覆層内に設けられた湾曲定型可能な導線と、
前記電気導線を囲鐃して被覆する絶縁被覆層（ｉｎｓｕｌａｔｅｄ  ｐａｃｋａｇｉｎｇ  ｌａｙｅｒ）と、
前記導線の両端にそれぞれ接続された電気コネクタ（ｅｌｅｃｔｒｉｃａｌ  ｃｏｎｎｅｃｔｏｒ）であって、前記電気コネクタは、前記電気導線に接続された複数の端子と、前記端子の後端及び前記電気導線を部分的に被覆する絶縁固定部材とを有し、前記絶縁固定部材の内部には前記電気導線の一側に位置する収容溝が形成され、前記湾曲定型可能な導線の一端が伸縮可能に前記収容溝内に配置されている電気コネクタと、を備える伝送線。
【請求項２】
前記隔絶層は、アルミ箔紙である請求項１に記載の伝送線。
【請求項３】
前記湾曲定型可能な導線は、前記電気導線と共に前記隔絶層内に設けられる請求項１に記載の伝送線。
【請求項４】
前記湾曲定型可能な導線は、前記隔絶層と前記絶縁被覆層との間に設けられる請求項１に記載の伝送線。
【請求項５】
前記湾曲定型可能な導線は、鉄線である請求項１に記載の伝送線。
【請求項６】
前記湾曲定型可能な導線の直径は、０．６ｍｍ〜２．０ｍｍである請求項５に記載の伝送線。
【請求項７】
前記湾曲定型可能な導線は、銅線である請求項１に記載の伝送線。
【請求項８】
前記湾曲定型可能な導線の直径は、０．６ｍｍ〜２．０ｍｍである請求項７に記載の伝送線。
【請求項９】
前記絶縁被覆層の外径は、３．０ｍｍ〜９．０ｍｍである請求項１に記載の伝送線。
【請求項１０】
前記絶縁被覆層は、ポリ塩化ビニル（Ｐｏｌｙｖｉｎｙｌｃｈｌｏｒｉｄｅ、  ＰＶＣ）で一体形成される請求項９に記載の伝送線。
【請求項１１】
前記電気コネクタは、ユニバーサルシリアルバス（ＵＮＩＶＥＲＳＡＬ  ＳＥＲＩＡＬ  ＢＵＳ；ＵＳＢ）である請求項１０に記載の伝送線。
【請求項１２】
導体コア（ｃｏｎｄｕｃｔｅｄ  ｃｏｒｅ）と前記導体コアを覆う絶縁材料層（ｉｎｓｕｌａｔｅｄ  ｍａｔｅｒｉａｌ  ｌａｙｅｒ）とを有する複数の電気導線（ｃｏｎｄｕｃｔｉｎｇ  ｗｉｒｅｓ）と、
前記電気導線を囲鐃して被覆する隔絶層（ｓｅｐａｒａｔｉｎｇ  ｌａｙｅｒ）と、
前記隔絶層を囲鐃する網状格子（ｍｅｓｈ  ｇｒｉｄ）と、
前記網状格子内に設けられたダミー線と、
前記電気導線と隣接して前記絶縁被覆層内に設けられた湾曲定型可能な導線と、
前記電気導線を囲鐃して被覆する絶縁被覆層（ｉｎｓｕｌａｔｅｄ  ｐａｃｋａｇｉｎｇ  ｌａｙｅｒ）と、
前記導線の両端にそれぞれ接続された電気コネクタ（ｅｌｅｃｔｒｉｃａｌ  ｃｏｎｎｅｃｔｏｒ）であって、前記電気コネクタは、前記電気導線に接続された複数の端子と、前記端子の後端及び前記電気導線を部分的に被覆する絶縁固定部材とを有し、前記絶縁固定部材の内部には、前記電気導線の一側に位置する収容溝が形成され、前記湾曲定型可能な導線の一端が伸縮可能に前記収容溝内に配置されている電気コネクタと、を備える伝送線。
【考案の詳細な説明】
【技術分野】
【０００１】
本考案は、伝送線（ｔｒａｎｓｍｉｓｓｉｏｎ  ｗｉｒｅ）に関し、特に、電子装置に信号伝送作業を行わせるための伝送線に関する。
【背景技術】
【０００２】
電気コネクタは、２つの電子装置の間を電気的に接続するための媒体であるが、電子装置の間の距離による制限を克服するために、一般的に、電気コネクタに長さが適宜な伝送線を組み合わせて、所望の信号伝送作業を行う。従って、３Ｃ産業において、伝送線は不可欠な部材の１つであり、少なくとも２つ以上の電子装置を接続して、信号や電力の伝送などの作業を行うため、伝送線の品質の良否は、接続する電子装置の作業安定性及び使用寿命と密接に関連する。
【０００３】
従来の市販の伝送線は、一般な線材で製作されているが、電気コネクタ及びコンピュータ周辺装置の発展に伴い、その種類及び機能もますます多様になっている。このような伝送線の例を、特許文献１に示す。一部の電子装置（例えば、ウェブカメラやマイクロホン）においては、その使用の目的に適合させるために、適当な位置に支持されて位置決めされることを必要とするが、従来の伝送線は、支持、位置決めという機能を有しておらず、ウェブカメラ又はマイクロホンは、その他の位置決め構造によって適当な位置に固定する必要があった。また、従来の伝送線は、容易に乱雑な状態になりやすく、整理しにくいという欠点もある。
【０００４】
本考案者は、上述の問題点に鑑み、鋭意研究した結果、設計が合理的で上述の欠点を有効に改善できる本考案を提出するに至った。
【先行技術文献】
【特許文献】
【０００５】
【特許文献１】特開２００８−０３４３４１号公報
【考案の概要】
【考案が解決しようとする課題】
【０００６】
本考案は、使用者が任意に折り曲げたり湾曲させることができ、使用者の望む位置又は形状に固定することができる伝送線を提供することを主な目的とする。
【課題を解決するための手段】
【０００７】
上述の目的に達するために、本考案は、絶縁被覆層と、前記絶縁被覆層内に設けられた少なくとも１本の電気導線と、前記電気導線と共に前記絶縁被覆層内に設けられた湾曲定型可能な導線と、を備える伝送線を提供する。
【考案の効果】
【０００８】
本考案は、以下の有用な効果を有する。
【０００９】
絶縁被覆層内に湾曲定型可能な導線（ｂｅｎｄａｂｌｅ  ｓｈａｐｅｄ  ｗｉｒｅ）を設けることによって、使用者が任意に折り曲げたり、湾曲させることができると共に、使用者の望む位置又は形状に固定することができ、マイクロホンやウェブカメラのような電子装置を安定的に支持することにより、使用者に最適な使用角度又は高度を提供することができ、使用上の利便性を向上させる。
【００１０】
なお、本考案の伝送線は、湾曲、折り曲げにより位置決めできる機能を有するため、使用者が簡単に線を整理、収納することができ、コンピュータ周辺に伝送線が多いことが原因で起こる線の乱雑を防ぐことができる。
【００１１】
以下、本考案の特徴及び技術内容を更に理解させるため、図を参照しながら本考案に関する詳細な説明を行なう。なお、以下の図面及び説明は、本考案を限定するものではない。
【図面の簡単な説明】
【００１２】
【図１】本考案の伝送線の実施例１の斜視略図である。
【図２】本考案の伝送線の実施例１の断面略図である。
【図３】本考案の伝送線の実施例１の斜視略図である。
【図４】本考案の伝送線の実施例１の断面略図である。
【図５】本考案の伝送線が折り曲げられて固定された状態の略図である。
【図６】本考案の伝送線に電気コネクタを設け、且つ撓曲して固定された状態の略図である。
【図６Ａ】本考案の伝送線の断面図である。
【図６Ｂ】本考案の伝送線の他の実施例の断面図である。
【図７】本考案の伝送線に電気コネクタを設け、且つ９０度をなすように直立に定型した状態の略図である。
【図８】本考案の伝送線の電気コネクタが第１の電子装置に挿入され、且つ第２の電子装置を直立に支持する略図である。
【図９】本考案の伝送線を束ねて整理すると共に、第２の電子装置を直立に支持する略図である。
【図１０】ダミー線を有する本考案の伝送線の断面図である。
【考案を実施するための形態】
【００１３】
図１から図８は、本考案の伝送線を示すものであり、絶縁被覆層１１、少なくとも１本の電気導線（ｃｏｎｄｕｃｔｉｎｇ  ｗｉｒｅ）１２、湾曲定型可能な導線（ｂｅｎｄａｂｌｅ  ｓｈａｐｅｄ  ｗｉｒｅ）１３を備える。
【００１４】
図１及び図２は、本考案の実施例１を示す。絶縁被覆層１１は、絶縁材料で形成され、電気伝導を有効に隔絶でき、伝送線１でショートやノイズ等の現象が発生することを防ぐことができる。
【００１５】
本実施例における、絶縁被覆層（ｉｎｓｕｌａｔｅｄ  ｐａｃｋａｇｉｎｇ  ｌａｙｅｒ）１１は、外径が３．０ｍｍ〜９．０ｍｍであり、ポリ塩化ビニル（Ｐｏｌｙｖｉｎｙｌｃｈｌｏｒｉｄｅ；ＰＶＣ）で一体形成され、内部には複数本の電気導線１２を有する。
【００１６】
伝送作業中においてショートが発生して電子装置が損害されることを避けるために、各電気導線１２の表面には、絶縁材料が被覆されている。電気導線１２は、導体コア（ｃｏｎｄｕｃｔｅｄ  ｃｏｒｅ）、導体コアを覆う絶縁材料層（ｉｎｓｕｌａｔｅｄ  ｍａｔｅｒｉａｌ  ｌａｙｅｒ）を有する。また、本実施例において、各電気導線１２は、互いに接触するように配列される。
【００１７】
湾曲定型可能な導線１３は、電気導線１２と共に絶縁被覆層１１内に設けられ、鉄線又は銅線等のフレキシブル効果を有する金属材料で一体形成され、直径が０．６ｍｍ〜２．０ｍｍであり、電気導線１２と束になるように共に設けられる。
【００１８】
電気導線１２と絶縁被覆層１１との間には、隔絶層（ｓｅｐａｒａｔｉｎｇ  ｌａｙｅｒ）１４が設けられ、湾曲定型可能な導線１３は、隔絶層１４内に設けられる。つまり隔絶層１４は、電気導線１２及び湾曲定型可能な導線１３を同時に被覆する。隔絶層１４は、アルミ箔紙であり、伝送線１が信号伝送作業を行う場合に、電磁波やその他のノイズを有効に隔絶して、電気伝送信号が電磁波やその他のノイズの干渉により、伝送品質の低下、中断することを防ぐことができる。
【００１９】
また、隔絶層１４以外に、複数本の直径が同様な鉄線を互いに交錯して編んだ網状構造であって、隔絶層１４と同じように、電磁波及びその他のノイズを有効に隔絶できる網状格子（ｍｅｓｈ  ｇｒｉｄ）１５が更に設けられる。
【００２０】
図３及び図４は、本考案の実施例２を示す。湾曲定型可能な導線１３は、隔絶層１４と絶縁被覆層１１との間に設けられてもよく、この場合も実施例１と同様の機能に達する。
【００２１】
図５に示すように、伝送線１は、絶縁被覆層１１内の湾曲定型可能な導線１３によって、電気導線１２の伝送に影響を与えることなく任意に湾曲又は撓曲して特定の位置に固定することができる。
【００２２】
図６に示すように、伝送線１の両端には、それぞれ電気コネクタ２が設けられている。つまり、２つの電気コネクタ（ｅｌｅｃｔｒｉｃａｌ  ｃｏｎｎｅｃｔｏｒ）２は、各電気導線１２の両端に接続されている。電気コネクタ２は、ユニバーサルシリアルバス（ＵＮＩＶＥＲＳＡＬ  ＳＥＲＩＡＬ  ＢＵＳ；ＵＳＢ）、又はブイジーエー（Ｖｉｄｅｏ  Ｇｒａｐｈｉｃｓ  Ａｒｒａｙ；ＶＧＡ）、その他の実行可能な規格の電気コネクタであってよい。また、伝送線１を使用しない場合には、巻きつけるように収納することができる。本考案の伝送線１は、撓曲可能な特性及び自己定型可能な特性を同時に有するため、巻きつけられた後、リコイルして散乱してしまうことがない点において一般な伝送線と異なっている。これにより、使用者は線を整理、収納しやすい。図６に示すように、湾曲定型可能な導線１３は、各端が電気コネクタ２内に延伸する両端を有する。湾曲定型可能な導線１３の各端は、電気コネクタ２の外側に向かって傾斜している。つまり、湾曲定型可能な導線１３は、電気導線１２より短く、且つその両端が電気導線１２からわずかに離れている。
【００２３】
図６Ａは、本考案の伝送線の断面図である。電気コネクタ２は、金属筺体（ｍｅｔａｌｌｉｃ  ｈｏｕｓｉｎｇ）２０、金属筺体２０内に形成された絶縁体（ｉｎｓｕｌａｔｅｄ  ｂｏｄｙ）２１、絶縁体２１内に収容された複数の端子２４を有する。各端子２４は、電子装置に電気的に接触されるための前端２４１、電気導線１２に接続されている後端２４２を有する。また、電気コネクタ２は、電気導線１２を固定するための絶縁固定部材２２（ｉｎｓｕｌａｔｉｎｇ  ｒｅｔａｉｎｅｒ）を更に備える。絶縁固定部材２２は、プラスチック又はホットメルトゴム（ｈｏｔ−ｍｅｌｔ  ｒｕｂｂｅｒ）であり、射出成形技術によって形成され、端子２４の後端及び電気導線１２を部分的に被覆する。絶縁固定部材２２の内部には、電気導線１２の一側に位置する収容溝（ｒｅｃｅｉｖｉｎｇ  ｓｌｏｔ）２２１が形成されている。湾曲定型可能な導線１３の末端の１つは、伸縮可能に収容溝２２１内に配置されている。これにより、湾曲定型可能な導線１３の末端が電気導線１２の絶縁材料層を擦って損傷したり、破傷することが防げる。金属筺体２０は、その末端に形成され、絶縁被覆層１１を挟み込む固定テール（ｆｉｘｉｎｇ  ｔａｉｌ）２０２を有する。網状格子１５は、固定テール２０２と接触するように配置されている。図６Ｂは、本考案の伝送線の他の実施例の断面図である。絶縁固定部材２２は、射出成形によって成形される。このプラスチック射出中においては、膨大な勢いが発生する。湾曲定型可能な導線１３を最適な位置に配置するため、本実施例では、湾曲定型可能な導線１３と各電気導線１２との間に位置する仕切り部材（ｓｅｐａｒａｔｉｎｇ  ｐｉｅｃｅ）２８を更に有する。仕切り部材２８は、湾曲定型可能な導線１３と各導線とを仕切るためのものであり、テープ（ｔａｐｅ）、フレキシブルプラスチック部材（ｆｌｅｘｉｂｌｅ  ｐｌａｓｔｉｃ  ｐｉｅｃｅ）、線材（ｗｉｒｅ）、又はプラスチックタブ（ｐｌａｓｔｉｃ  ｔａｂ）等であってよい。上述したプラスチック射出中において、仕切り部材２８により電気導線１２と湾曲定型可能な導線１３は、分けられた状態に保持される。つまり、電気導線１２は、湾曲定型可能な導線１３により乱雑となることはない。
【００２４】
図７及び図８に示すように、２つの電気コネクタ２は、それぞれノート型パソコンである第１の電子装置３及びウェブカメラである第２の電子装置４に電気的に接続されている。第１の電子装置３及び第２の電子装置４は、それぞれ電気コネクタ２に対応するソケットを有する。使用者は、伝送線１を９０度に折り曲げるように固定でき、第２の電子装置４（即ち、ウェブカメラ）を直立に支持し、且つ第２の電子装置４を最適な位置に固定して、目標物となる画像を正確に受信し、画像の伝送作業を行うことができる。なお、本考案の伝送線１は、２５０グラムの物品を倒れないように安定的且つ直立に支持することができる。
【００２５】
特筆すべき点は、電気コネクタ２は、前記ウェブカメラの他に、マイクロホン又はその他の位置決めの必要がある電子装置を電気的に接続できる。
【００２６】
図９に示すように、伝送線１は、束ねて整理することができるため、第２の電子装置４を直立に支持すると共に、伝送線１が散乱して乱雑となることがない。
【００２７】
図１０は、ダミー線を有する本考案の伝送線の断面図である。この実施例においては、電気導線１２の側辺に配置され、アース作用を提供するダミー線１６（ｄｕｍｍｙ  ｗｉｒｅ）をさらに備える。
【００２８】
本考案によってもたらされる機能及び特徴を下記に説明する。
【００２９】
絶縁被覆層１１内に湾曲定型可能な導線１３を設けることによって、使用者が任意に折り曲げたり、湾曲させることができる伝送線１であって、使用者の望む位置又は形状に固定して、マイクロホン又はウェブカメラのような電子装置を安定に支持し、使用者に最適な使用角度又は高度を提供する。
【００３０】
なお、本考案の伝送線１は、撓曲可能の機能及び折り曲げて位置決めできる機能を有するため、使用者が簡単に線を整理して収納することができ、コンピュータ周辺に伝送線が多い事により、線が散乱する現象を防ぐことができる。
【００３１】
上述した説明は、本考案の好適な実施例であり、本考案の請求の範囲を限定するものではない。本考案の明細書及び図面の内容に基づいてなされた等価な変更は、本考案の登録請求の範囲内に含まれる。
【符号の説明】
【００３２】
１  伝送線、１１  絶縁被覆層、１２  電気導線、１３  湾曲定型可能な導線、１４  隔絶層、１５  網状格子、１６  ダミー線、２  電気コネクタ、２０  金属筺体、２０２  固定テール、２１  絶縁体、２２  絶縁固定部材、２２１  収容溝、２４  端子、２４１  前端、２４２  後端、２８  仕切り部材、３  第１の電子装置、４  第２の電子装置
【図１】
0003168994.tif 000003
【図２】
0003168994.tif 000004
【図３】
0003168994.tif 000005
【図４】
0003168994.tif 000006
【図５】
0003168994.tif 000007
【図６】
0003168994.tif 000008
【図６Ａ】
0003168994.tif 000009
【図６Ｂ】
0003168994.tif 000010
【図７】
0003168994.tif 000011
【図８】
0003168994.tif 000012
【図９】
0003168994.tif 000013
【図１０】
0003168994.tif 000014